【事件の表示】
　特許第２６１３３７８号「超迅速処理可能なハロゲン化銀写真感光材料」の特許に対する特許異議の申立てについて、次のとおり決定する。
【結論】
　訂正を認める。
　特許第２６１３３７８号の特許を維持する。
【理由】
Ｉ．手続の経緯
　本件特許第２６１３３７８号は、昭和６１年１２月１５日に出願されたものであり、平成９年２月２７日にその特許の設定登録がなされた。
　本件特許公報は、平成９年５月２８日に発行されたところ、三菱製紙株式会社より特許異議の申立てがなされ、平成１０年３月１１日付取消理由通知に対して、その指定期間内に訂正請求がなされ、さらに平成１０年８月２５日付訂正拒絶理由に対して、その指定期間内である平成１０年１１月１７日に訂正請求書の補正がなされたものである。
ＩＩ．訂正の適否についての判断
１．訂正請求書の補正の適否
　当審で通知した訂正拒絶理由の趣旨は、当審で通知した取消理由において引用した刊行物の実施例を追試して得た感光材料のマット度の測定結果を、比較例として明細書に加入する訂正は、特許法第１２０条の４第２項但書き各号に規定するいずれの事項を目的とするものにも該当しないから、訂正は認められないとするものである。
　これに対して、訂正請求書の補正は、全文訂正明細書について、（イ）比較例として加入した、上記の追試結果に関する部分を削除し、（ロ）特許請求の範囲の第１項に、同第２項の要件を付加し、併せて「ハロゲン化銀写真感光材料」を「超迅速処理用ハロゲン化銀写真感光材料」とすると共に、請求項２削除する補正をおこなうものである。
　補正（イ）により、比較例として加入された事項を削除することは、訂正事項の削除に該当するから特許法第１３１条第２項でいう請求書の要旨を変更するものには当たらない。そして、削除された結果、訂正拒絶理由は、解消された。
　補正（ロ）については、実質的に、特許請求の範囲第１項の独立請求項に記載された発明を削除して、同第２項の実施態様項に記載された発明のみに限定するとともに、２０〜６０秒という処理時間は、「超迅速処理」であることを単に言い換えたものであるから、特許請求の範囲の減縮を目的とするものに該当し、特許請求の範囲の変更・拡張に該当せず、新規事項を含むものでもない。
したがって、該補正は、訂正請求書の要旨を変更するものではなく、特許法第１２０条の４第３項において準用する同法第１３１条第２項の規定に適合する。
２．訂正の内容
　補正された訂正請求書により示される訂正事項（以下、「本訂正事項」という）は、
特許請求の範囲の請求項１における「マット度が４０〜１５０ｍｍＨｇであることを特徴とするハロゲン化銀写真感光材料」を、「マット度が４０〜１５０ｍｍＨｇであり、全処理時間が２０秒〜６０秒である自動現像機で処理されることを特徴とする超迅速処理用ハロゲン化銀写真感光材料」と訂正すると共に、請求項２を削除するというものである。
３．訂正の目的の適否
　本訂正事項は、実質的に、特許請求の範囲第１項の独立請求項に記載された発明を削除して、同第２項の実施態様項に記載された発明のみに限定するものであるから、特許請求の範囲の減縮を目的とするものに該当し、特許請求の範囲の変更・拡張に該当せず、新規事項を盛り込むものでもない。
４．独立特許要件
　訂正請求書に添付された全文訂正明細書の記載によれば、特許請求の範囲に記載された発明（以下、「訂正後の発明」という。）は、下記とおりのものである。
　「【請求項１】支持体上の同一面上に少なくとも１層の感光性ハロゲン化銀乳剤層を含む１層または２層以上のゼラチンを含む親水性コロイド層を有し、且つマット剤を含有するハロゲン化銀感光材料において、該親水性コロイド層中のゼラチン量が２．１０〜３．３０ｇ／ｍ２であり、且つ該ハロゲン化銀写真感光材料のマット度が４０〜１５０ｍｍＨｇであり、全処理時間が２０秒〜６０秒である自動現像機で処理されることを特徴とする超迅速処理用ハロゲン化銀写真感光材料。（但し、親水性コロイド層のいずれかにヒドラジン誘導体を含有するハロゲン化銀写真感光材料を除く。）但し上記において、マット度とは、真空式空気マイクロメーターを使用して、フイルムの表面の平滑度によって変化する空気流入量を圧力の変化として表したものを言い、２３℃、４８％ＲＨの条件で３時間調湿を行った未露光の感光材料について、同一条件下で吸引圧を測定し、ｍｍＨｇで表した数値をいう。」
（１）取消理由の趣旨
　これに対して、取消理由の趣旨は、
　本件特許請求の範囲第１項に記載された発明は、特開昭６０−１３３４４３号公報（以下、「刊行物１」という）あるいは、特開昭６１−２４１７４３号公報（以下、「刊行物２」という）に記載された発明であるから、本件特許は、特許法第２９条第１項第３号の規定に違反して特許されたものである、及び本件特許請求の範囲第２項に記載された発明は、刊行物１に記載された発明に基づいて当業者が容易に発明をすることができたものであるから、本件特許は、特許法第２９条第２項の規定に違反して特許されたものである、とするものである。
（２）刊行物記載の発明
　刊行物１には、「支持体の少なくとも１面に少なくとも１層のハロゲン化銀乳剤層を有するハロゲン化銀写真感光材料の最外層の親水性コロイド層の少なくとも１層に、・・・・・無機マツト剤を含有することを特徴とするハロゲン化銀写真感光材料。」（特許請求の範囲）、「無機マット剤としては例えば合成シリカゲルの粒子が好ましく、その平均粒径は０．０５μｍ〜２０μｍの程度であり、好ましくは１μｍ〜１０μｍである。」（第２頁左下欄１５〜１８行）、「上記により合成された本発明に係わる粒子は、本発明の感光材料の親水性コロイド層の最外層すなわち保護層および／またはバツク層に添加されるが、好ましくは保護層への添加である。」（第３頁右上欄９〜１２行）、「無機のマツト剤としては、例えば硫酸バリウム、感光性のないハロゲン化銀粒子、シリカ、亜鉛末、マンガンコロイド、二酸化チタン、二酸化ケイ素、酸化マグネシウム、炭酸カルシウム、酸化アルミニウム等を挙げることができる。」（第５頁左下欄下から１０〜６行）、「親水性コロイドとしては、ゼラチンが最も好ましい」（第９頁左上欄１１〜１２行）、「上記の保護層は、ゼラチンの様な親水性コロイドをバインダーとする層でその中に、マツト剤のほかに・・・・・を含有することができる。」（同頁右下欄１１〜１５行）、「これらマツト剤の添加量は保護層の親水性コロイドに対して重量比で０．１％〜１０％であり、特に０．５％〜５％が好ましい。」（第１０頁右上欄末行〜左下欄２行）ことが、それぞれ記載されている。さらに、実施例１には、親水性コロイド層のいずれかにヒドラジン誘導体を含有していないハロゲン化銀写真感光材料が記載され、その保護層に関しては、第１１頁左上欄１５〜１７行に、「保護層に用いたゼラチンの付量は０．８ｇ／ｍ２、乳剤層側には１．８ｇ／ｍ２となるように・・・・・」と記載され、第１表には、保護層添加マツト剤の添加量として、３〜４％の値が示されているから、実施例における、親水性コロイド層のゼラチン量は２．６ｇ／ｍ２（０．８＋１．８）、また、マツト剤の含有量は、２４ｍｇ／ｍ２（０．８×１０００×０．０３）〜３２ｍｇ／ｍ２（０．８×１０００×０．０４）となるものが示されているといえる。
　刊行物２には、刊行物１と同様に、ハロゲン化銀写真感光材料に関して、「本発明の感光材料において、特に有効に用いられる親水性コロイドはゼラチンであるが・・・・」（第１１頁左上欄１６〜１７行）、「本発明に用いられる前記親水性コロイド層には必要に応じて各種写真用添加剤・・・・マット剤等を本発明の効果が損なわれない範囲内で使用することができる。」（同頁左下欄１２〜１９行）、「マット剤としては、例えば・・・・・特に０．５〜２０μｍの粒径をもつシリカゲル、０．５〜２０μｍの粒径をもつポリメチルメタクリレートの重合体等を挙げることができる。」（第１２頁左上欄１８行〜右上欄３行）ことが記載されている。
　実施例１として、第１４頁右上欄の（Ｐ１液の調製）欄に、ゼラチン１ｋｇに、純水１０ｌ、塗布助剤等を加えたものに、さらにマット剤として不定型のシリカゲル３０ｇを分散させ、３５％ホルマリン液４０ｍｌを加えて全量２０ｌにすることで保護膜用Ｐ１液を調製したこと、同左下欄下から第９〜１行の（感光材料の調製）欄に、「下引き加工済みのポリエチレンテレフタレート支持体上に、上記により調製された乳剤塗布液および保護膜用塗布液とを組み合わせ、銀量が４ｇ／ｍ２、乳剤層ゼラチン付量が２ｇ／ｍ２、保護膜のゼラチンの付量が１ｇ／ｍ２になるようにし、・・・・・試料を作製した。」と記載され、さらに、上記のような保護膜を設けた写真感光材料を露光を与えた後、「現像　３０℃　３０秒、定着　３０℃　２０秒、水洗　常温２０秒」の処理条件で自動現像機で処理した（第１５頁左上欄）ことが記載されている。
　この実施例１からすると、保護膜と乳剤層の付量を合計したゼラチン量は、３ｇ／ｍ２　（２＋１）、マット・剤量は、３０ｍｇ／ｍ２（ゼラチン１０００ｇに対してシリカゲル３０ｇの比率で含有する保護膜用塗布液を、保護膜ゼラチンの付量が１ｇ／ｍ２になるように塗布したから、［１／１０００］×３０＝０．０３ｇ／ｍ２）となり、同様に、実施例２においても、合計したゼラチン量が、３ｇ／ｍ２、マット剤量が、３０ｍｇ／ｍ２であることが示されているといえる。
（３）訂正後の発明と刊行物に記載された発明との対比・検討
　刊行物１及び２には、訂正明細書において定義する「マット度」を示す記載はないが、刊行物１及び刊行物２における、親水性コロイド層のゼラチン量及びマット剤の含有量は、訂正明細書に記載される規定量である、「親水性コロイド層中のゼラチン量は、２．１０〜３．３０ｇ／ｍ２」及び「マット剤の含有量は１０〜５００ｍｇ／ｍ２」の範囲に包含されていることから、刊行物１及び２は、当然に本件訂正後の発明の所定のマット度が実現されていると推定される。
そうすると、刊行物１および刊行物２には、訂正後の発明の構成のうち、
（一致点）
「支持体上にハロゲン化銀乳剤層を含む１層または２層以上のゼラチンを含む親水性コロイド層を有し、且つマット剤を含有するハロゲン化銀感光材料において、該親水性コロイド層中のゼラチン量が２．１０〜３．３０ｇ／ｍ２であり、且つ該ハロゲン化銀写真感光材料のマット度が４０〜１５０ｍｍＨｇである迅速処理用ハロゲン化銀写真感光材料。（但し、親水性コロイド層のいずれかにヒドラジン誘導体を含有するハロゲン化銀写真感光材料を除く。）但し上記において、マット度とは、真空式空気マイクロメーターを使用して、フイルムの表面の平滑度によって変化する空気流入量を圧力の変化として表したものを言い、２３℃、４８％ＲＨの条件で３時間調湿を行った未露光の感光材料について、同一条件下で吸引圧を測定し、ｍｍＨｇで表した数値をいう。」に該当する発明については実質的に記載されているものと認められる。
（相違点）
　しかしながら、現像処理される全処理時間についてみると、刊行物１に記載されたハロゲン化銀写真感光材料は、超迅速処理に使用することは意図されていない、また、刊行物２に記載されたハロゲン化銀写真感光材料は、現像・定着・水洗を合わせた所用時間が７０秒である条件で処理しているものの、乾燥に要した時間まで含めた処理時間でないから、訂正後の発明における全処理時間２０〜６０秒という超迅速処理を開示していないことは明かである。
　そうすると、刊行物１及び刊行物２のいずれにも、本件訂正後の発明の構成のうちの、「全処理時間が２０秒〜６０秒である自動現像機で処理される」ための写真感光材料の点がない点で相違する。
　よって、訂正後の発明は、刊行物１または刊行物２に記載された発明であるとはいえない。
　また、刊行物１及び刊行物２には、いずれにも、そこで得られた感光材料を、２０〜６０秒の超迅速処理に付そうとする意図が示されていないのであるから、本件訂正後の発明が目的とする、超迅速処理に耐えうるまでにゼラチン量を少なくしても、感度、乾燥性に優れ、クッツキ、すり傷黒化、マット圧力ブリ等の故障が少ないハロゲン化銀写真感光材料の提供という発明の目的の点で相違し、本件訂正後の発明に至る動機付けが存在しない。
　したがって、訂正後の発明は、刊行物１及び刊行物２に基づいて当業者が容易に発明をすることができたものとはいえない。
　以上のとおり、訂正後の本件発明は、刊行物１及び刊行物２に記載された発明でもなく、また、両刊行物に記載された発明に基づいて容易に発明をすることができたものでもないから、特許出願の際独立して特許を受けることができないものではない。
５．むすび
　以上のとおりであるから、上記の訂正請求は、特許法第１２０条の４第２項及び同条第３項で準用する第１２６条第２項ないし第４項の規定に適合するので、当該訂正を認める。
ＩＩＩ．特許異議の申立てについての判断
１．申立の理由の概要
　特許異議申立人三菱製紙株式会社は、
　甲第１号証　特開昭６０−１３３４４３号公報（上記、刊行物１に同じ）、
　甲第２号証　特開昭６１−１８４５５３号公報、
　甲第３号証　特開昭６１−２４１７４３号公報（上記、刊行物２に同じ）、
を提示して、本件発明は、甲第１号証または甲第２号証に記載された発明であり、特許法第２９条第１項第３号の規定に違反して特許されたものであるから、もしくは、本件発明は、甲第１号証〜甲第３号証に記載された発明に基づいて、当業者が容易に発明をすることができたものであって特許法第２９条第２項の規定に違反して特許されたものであるから、その特許は取り消されるべき旨、主張する。
２．証拠の検討と判断
　申立人の甲第１号証及び甲第３号証は、上記「ＩＩ．４．独立特許要件」の欄に示した刊行物１及び刊行物２に相当するから、申立人に対する当審の判断は同欄に示したとおりである。
　甲第２号証には、ハロゲン化銀写真感光材料に関して、「本発明の目的は・・・・・特に低温現像や短時間現像における現像性が改良された、現像条件依存性の小さな現像銀の被覆力が極めて高い高感度ハロゲン化銀感光材料を提供することである」（第２頁右上欄１５〜１９行）、「本発明のハロゲン化銀写真感光材料の乳剤層又は保護層中に、好ましくは、保護層中にはマット剤及び／又は平滑剤などを添加してもよい。マット剤の例としては適当な粒径（粒径０．３〜５μのものまたは、保護層の厚味の２倍以上、特に４倍以上のものが好ましい）のポリメチルメタアクリレートなどのごとき水分散性ビニル重合体のごとき有機化合物又はハロゲン化銀、硫酸ストロンチウムバリウムなどのごとき無機化合物などが好ましく用いられる。」（第１５頁左上欄下から第２行〜右上欄８行）、「ゼラチン、増粘剤・・・・マット剤ポリメチルメタクリレート微粒子（平均粒子サイズ３．０μｍ）、硬膜剤・・・・塗布助剤・・・・界面活性剤・・・・と実質的に非感応性の塩臭化銀微粒子乳剤とから成る塗布液を調製した」（第１７頁左下欄１１〜１８行）、「乳剤塗布液をポリエチレンテレフタレート支持体の両側に塗布銀量が片面当り２．５ｇ／ｍ２で乳剤塗布液からのゼラチンが片面あたり１．６３ｇ／ｍ２、表面保護層用塗布液からのゼラチンが片面あたり１．１６ｇ／ｍ２となるように塗布した。従ってどの試料の総ゼラチン塗布量も片面当り２．７９ｇ／ｍ２となるように塗布された」（第１７頁右下欄４〜１０行）と記載されている。そして、できた試料の感光材料に、４８０μｍのブルー光でウエッジ露光後、低温での現像性を見るために３１℃で、２５秒の現像を行い、感度変化ΔＳを、３７℃および３１℃で３５秒間現像した試料のセンシトメトリーを行って求めたことが記載されている。（第１７頁右下欄１７〜１９行、第１８頁右上欄１５〜１９行の記載参照）
　甲第２号証には、保護層にマット剤を混合して使用すること、その粒子サイズが０．３〜５μ程度のものが使用されること、および、現像を２５秒あるいは３５秒で行ったことは記載されているものの、マット剤の添加量、および、現像で処理される全処理時間に関して、現像だけでなく、定着、水洗、乾燥などを含めた総処理時間での超迅速処理についての開示がない上に、発明の目的も、現像温度依存性や現像進行性の改良（第１頁右下欄１２〜１３行）にあるから、前記「ＩＩ．４．独立特許要件」で検討した相違点である、超迅速処理に関して何も開示するところがない甲第２号証を、甲第１号証あるいは甲第３号証に記載された発明に組み合わせることはできない。
　そして、訂正後の発明に係るハロゲン化銀写真感光材料は、その構成により、超迅速処理に耐えうるまでにゼラチン量を少なくしても、感度、乾燥性に優れ、クッツキ、すり傷黒化、マット圧力ブリ等の故障が少ないという効果を奏するものである。
　以上のことから、訂正後の発明は、甲第１号証〜甲第３号証に記載されているとすることはできないし、また、甲第１号証〜甲第３号証に記載された発明に基づいて当業者が容易に発明をすることができたものとすることもできない。
ＩＶ．むすび
　以上の通りであるから、特許異議申立の理由及び証拠方法によっては、本件特許を取り消すことはできない。
　また、他に本件特許を取り消すべき理由を発見しない。
　よって、結論のとおり決定する。
【異議決定日】
平成１１年６月２８日（１９９９．６．２８）
【訂正の要旨】
訂正の要旨
　特許第２６１３３７８号発明の明細書を、下記のとおり訂正する。
　特許請求の範囲の【請求項１】における、「マット度が４０〜１５０ｍｍＨｇであることを特徴とするハロゲン化銀写真感光材料」を「マット度が４０〜１５０ｍｍＨｇであり、全処理時間が２０秒〜６０秒である自動現像機で処理されることを特徴とする超迅速処理用ハロゲン化銀写真感光材料」と訂正する共に、請求項２を削除する。
（５４）【発明の名称】
超迅速処理可能なハロゲン化銀写真感光材料
（５７）【特許請求の範囲】
（１）．支持体上の同一面上に少なくとも１層の感光性ハロゲン化銀乳剤層を含む１層または２層以上のゼラチンを含む親水性コロイド層を有し、且つマット剤を含有するハロゲン化銀感光材料において、該親水性コロイド層中のゼラチン量が２．１０〜３．３０ｇ／ｍ２であり、且つ該ハロゲン化銀写真感光材料のマット度が４０〜１５０ｍｍＨｇであり、全処理時間が２０秒〜６０秒である自動現像機で処理されることを特徴とする超迅速処理用ハロゲン化銀写真感光材料。（但し、親水性コロイド層のいずれかにヒドラジン誘導体を含有するハロゲン化銀写真感光材料を除く。）の但し上記において、マット度とは、真空式空気マイクロメーターを使用して、フィルムの表面の平滑度によって変化する空気流入量を圧力の変化として表したものを言い、２３゜Ｃ、４８％ＲＨの条件で３時間調湿を行った未露光の感光材料について、同一条件下で吸引圧を測定し、ｍｍＨｇで表した数値をいう。
【発明の詳細な説明】
〔産業上の利用分野〕
　本発明はハロゲン化銀写真感光材料に関する。とくに超迅速処理に供した場合でも高感度で乾燥性に優れ、すり傷黒化等の故障が少ないハロゲン化銀写真感光材料に関する。
〔従来の技術及びその問題点〕
　近年、ハロゲン化銀写真感光材料の消費量は増加の一途をたどっている。このためハロゲン化銀写真感光材料の現像処理枚数が増加し、一層の現像処理の迅速化、つまり同一時間内での処理量を増加させることが要求されている。
　上記の傾向は、Ｘ線感光材料例えば医療用Ｘ線フィルムの分野でも見受けられ、診断回数の急増、検査項目の増加等によりＸ線写真撮影枚数が増加し、また、従来よりも迅速に現像処理して診断に供する要望が強く、特に血管造写撮影、術中撮影等は、本質的に少しでも短時間で写真を見る必要がある。
　上記の医療界の要望を満たすには、診断の自動化（撮影、搬送など）を促進すると共に、Ｘ線フィルムを一層迅速に処理する必要がある。
　しかし、超迅速処理を行うと、（ａ）、濃度が十分でない（感度、コントラスト、最高濃度の低下）、（ｂ）定着が充分に行われない、（ｃ）フィルムの水洗が不充分である、（ｄ）フィルムの乾燥が不充分である、等の問題を生ずる。そして、定着不足、水洗不足はフィルム保存中に色調が変化し、画質を低下させる原因になる。
　これらの問題を解決する一つの方法は、ゼラチン量を減らすことである。しかしながら、ゼラチン量を減らすと、ハロゲン化銀感光材料の塗布時の塗布ムラ、塗布スジ等の故障を発生し易くなる。また、ゼラチンの少ないフィルムは、フィルム同士のこすれ、或いはフィルムが他の物質でこすられた場合、現像処理後に他の部分よりも濃度の高い、所謂すり傷黒化を生じ易くなるという問題がある。このすり傷黒化はフィルムのマット度を下げることにより生じにくくなるが、マット度の低いフィルムはフィルム同士のクッツキが生じ易い。またマット度を上げるためにマット剤の量を増やすと、特に低いゼラチン量フィルムの場合はマット剤粒子により囲りのハロゲン化銀粒子が押され、マット剤粒子の囲りにカブリ（いわゆるマット圧力ブリ）を生じてしまう。
　上記の如く超迅速処理が望まれているわけであるが、本明細書でいう超迅速処理とは、自動現像機にフィルムの先端を挿入してから現像槽、渡り部分、定着槽、渡り部分、水洗槽、渡り部分、乾燥部分を通過してフィルムの先端が乾燥部分から出て来るまでの全時間〔換言すれば、処理ラインの全長（ｍ）をライン搬送速度（ｍ／ｓｅｃ．）で割った商（ｓｅｃ．）〕が、２０秒〜６０秒である処理を言う。
　特公昭５１−４７０４５号明細書には、迅速処理におけるゼラチン量の重要性の記載があるが、処理時間は渡り部分も含めた全処理時間が６０秒〜１２０秒である。しかし、この処理時間では、近年の超迅速処理の要望を満たすことはできない。
　また、Ｘ線撮影技術の分野にあっては、被曝線量が少なくて、しかも精度の高い写真技術が要求されており、このため少ないＸ線量で精密な映像が得られる写真材料、つまり一層高感度の写真材料の開発がのぞまれている。
　同一粒径で感度を上げる方法、つまり増感方法については多種多様の技術がある。例えば、チオエーテル類などの現像促進剤を乳剤中に添加する方法、分光増感されたハロゲン化銀乳剤では適当を色素の組み合わせで超色増感する方法、また光学増感剤の改良技術などが多く報じられている。しかしこれらの方法は必ずしも高感度ハロゲン化銀写真感光材料において汎用性があるとは言い難い。即ち、高感度のハロゲン化銀写真感光材料用ハロゲン化銀乳剤は、可能な限り化学増感を最大に行うために、上記の方法であると保存中にカブリを生じやすい。
　更に医療用のＸ線写真の分野では、従来４５０ｎｍに感光波長域があったレギュラータイプから、更にオルソ増感して、５４０〜５５０ｎｍの波長域で感光するオルソタイプの感光材料が用いられるようになっている。このように増感されたものは、感光波長域が広くなるとともに感度が高くなっており、従って、被曝Ｘ線量を低減でき、人体等に与える影響を小さくできる。このように色素増感は極めて有用な増感手段ではあるが、未だ未解決の問題も多く、例えば用いる写真乳剤の種類により十分な感度が得られない等の問題が残されている。
〔発明の目的〕
　本発明の目的は上記従来の問題点を解決し、全処理時間が２０秒〜６０秒である超迅速処理に耐えうるまでにゼラチン量を少なくしても感度、乾燥性に優れ、クッツキ、すり傷黒化、マット圧力ブリ等の故障が少ないハロゲン化銀写真感光材料を提供することにある。
〔発明の構成及び作用〕
　本発明の目的は、支持体上の同一面上に少なくとも１層の感光性ハロゲン化銀乳剤層を含む１層もしくは２層以上のゼラチンを含む親水性コロイド層を有し、且つマット剤を含有するハロゲン化銀写真感光材料において、該親水性コロイド層中のゼラチン量が２．１０〜３．３０ｇ／ｍ２であり、且つ該ハロゲン化銀写真感光材料のマット度が４０〜１５０ｍｍＨｇであることを特徴とするハロゲン化銀写真感光材料（但し、親水性コロイド層のいずれかにヒドラジン誘導体を含有するハロゲン化銀写真感光材料を除く。）により達成される。
　上記本発明のハロゲン化銀写真感光材料は超迅速処理に適するものであり、本発明の好ましい実施態様にあっては、上記本発明のハロゲン化銀写真感光材料ハロゲン化銀写真感光材料は、全処理時間が２０秒〜６０秒である自動現像機で処理される。
以下、本発明について詳述する。
　本発明のハロゲン・化銀写真感光材料は、支持体上に少なくとも１層の感光性ハロゲン化銀乳剤層を含む１層もしくは２層以上の親水性コロイド層を有し、該親水性コロイド層はゼラチンを含有する。本発明の感光材料において、該親水性コロイド層中のゼラヂン量は２．１０〜３．３０ｇ／２である。
　本発明の感光材料の乳剤層や中間層に用いることのできる結合剤または保護コロイドとしては、ゼラチン以外の親水性コロイドもゼラチンと共に用いることができる。
　本発明のハロゲン化銀写真感光材料はマット剤を含有し、該感光材料のマット度は４０〜１５０ｍｍＨｇである。本明細書において、マット度とは、真空式空気マイクロメーターを使用して、フィルム表面の平滑度（マット度）によって変化する空気流入量を圧力の変化として表したものを言い、２３゜Ｃ、４８％ＲＨの条件で３時間調湿を行った未露光の感光材料（いわゆる生フィルム）について、同一条件下で吸引圧を測定し、ｍｍＨｇで表した数値をいう。この値が大きい程マット度が高いことを示している。後記実施例において吸引圧の測定は、スムースター（東英電子工業（株）製）を用いた。
　本発明において、マット剤は、感光材料の最外表面層もしくは最外表面層として機能する層、乃至は外表面に近い層に含有されるのが好ましく、またいわゆる保護層として作用する層に含有されるのが好ましい。
　マット剤の含有量は１０〜５００ｍｇ／ｍ２・片面であることが好ましく、更に好ましくは２０〜３００ｍｇ／２・片面、より好ましくは２０〜２００ｍｇ／ｍ２・片面である。また２層以上に同種の、または別種のマット剤を含有しても良く、その場合マット剤を添加する層は乳剤層、保護層あるいは必要に応じて設けられる下引き層、中間層のいずれでも良い。
　本発明に用いられるマット剤の粒子サイズ分布は狭くても広くても良いが、単分散マット剤を用いるのが好ましい。単分散マット剤とは、平均粒子径の±２０％以内の粒子径の粒子の数が全粒子数の９０％以上であるものをいう。マット剤の種類は任意であって、例えば公知のものを適宜用いることができる。具体的には水不溶性の有機または無機化合物の微粒子で、任意の粒径のものを用いることができる。好ましくは、１μｍから１０μｍまでの粒径のものを用いるのが良い。有機化合物の例としては水分散性ビニル重合体の例としてポリメチルアクリレート、ポリメチルメタアクリレート、ポリアクリロニトリル、アクリロニトリル−α−メチルスチレン共重合体、ポリスチレン、スチレン−ジビニルベンゼン共重合体、ポリビニルアセテート、ポリエチレンカーボネート、ポリテトラフルオ口エチレンなど、セルロース誘導体の例としてはメチルセルロース、エチルセルロース、セルロースアセテート、セルロースアセテートプロピオネートなど、澱粉誘導体の例としてカルボキシ澱粉、カルボキシニトロフェニル澱粉、尿素−ホルムアルデヒド−澱粉反応物など、公知の硬化剤で硬化したゼラチン及びコアセルベート硬化して微少カプセル中空粒体した硬化ゼラチンなどを好ましく用いることができる。無機化合物の例としては二酸化珪素、二酸化チタン、二酸化マグネシウム、酸化アルミニウム、硫酸バリウム、炭酸カルシウム、公知の方法で減感した塩化銀、同じく臭化銀、ガラス、ケイソウ土などを好ましく用いることができる。上記のマット剤は必要に応じて異なる種類の物質を混合して用いることができる。
　本発明に用いられる写真乳剤中のハロゲン化銀粒子の粒子サイズ分布は任意であるが、単分散であってもよい。ここでハロゲン化銀粒子の粒子サイズについての単分散とは、９５％の粒子が数平均粒子サイズの±６０％以内、好ましくは４０％以内のサイズに入る分散系である。ここで数平均粒子サイズとは、ハロゲン化銀粒子の投影面積径の数平均直径である。
　写真乳剤中のハロゲン化銀粒子は、立方体、八面体、１４面体、１２面体のような規則的（ｒｅｇｕｌａｒ）な結晶体を有するものでもよく、また球状、板状などのような変則的（ｉｒｒｅｇｕｌａｒ）な結晶形をもつもの、あるいはこれらの結晶形の複合形をもつものでもよい。種々の結晶形の粒子の混合から成ってもよい。
　また、例えばＰｂＯのような酸化物結晶と塩化銀のようなハロゲン化銀結晶を結合させた、接合型ハロゲン化銀結晶、エピタキシャル成長をさせたハロゲン化銀結晶（例えば臭化銀上に塩化銀、沃臭化銀、沃化銀等をエピタキシャルに成長させるの、六方晶形、正八面体沃化銀に正六面体の塩化銀が配向重複した結晶、などでもよい。
　また、粒子の直径がその厚みの５倍以上の超平板のハロゲン化銀粒子が全投影面積の５０％以上を占めるような乳剤を使用してもよい。
　単分散乳剤及び／または規則正しいハロゲン化銀粒子を有する乳剤の製造にあたっては、銀イオン及びハライドイオンの供給は、結晶粒子の成長に伴って、既存結晶粒子を溶失せず、また逆に新規粒子の発生、成長を許さない、既存粒子のみの成長に必要十分なハロゲン化銀を供給する臨界速度を連続的にあるいは段階的に逓増させることが好ましい。この逓増方法としては、特公昭４８−３６８９０号、同５２−１６３６４号、特開昭５５−１４２３２９号公報に記載されている。
　本発明の実施において、そのハロゲン化銀乳剤中に用いるハロゲン化銀粒子は、例えば、Ｔ．Ｈ．Ｊａｍｅｓ著、ザ・セオリー・オブ・ザ・フォトグラフィック・プロセス（Ｔｈｅ　Ｔｈｅｏｒｙ　ｏｆ　ｔｈｅ　ｐｈｏｔｏｇｒａｐｈｉｃ　ｐｒｏｃｅｓｓ）、第４版、Ｍａｃｍｉｌｌａｎ社刊（１９７７年）、Ｐ．Ｇｌａｆｋｉｄｅｓ著、ヘミー・エ・フィジーク・フォトグラフィーク（Ｃｈｉｍｉｅｅｔ　Ｐｈｙｓｉｇｕｅ　Ｐｈｏｔｏｇｒａｐｈｉｇｕｅ（Ｐａｕｌ　Ｍｏｎｔｅｌ　社刊、１９６７年）、Ｇ．Ｆ．Ｄｕｆｆｉｎ著、フォトグラフィック・エマルジョン・ケミストリイ、（Ｐｈｏｔｏｇｒａｐｈｉｃ　Ｅｍｕｌｓｉｏｎ　Ｃｈｅｍｉｓｔｒｙ）（Ｔｈｅ　Ｆｏｃａｌ　Ｐｒｅｓｓ刊、１９６６年）、Ｖ．Ｌ．Ｚｅｌｉｋｍａｎ　ｅｔ　ａｌ著、メイキング・アンド・コーティング・フォトグラフィック・エマルジョン（Ｍａｋｉｎｇ　ａｎｄ　Ｃｏａｔｉｎｇ　Ｐｈｏｔｏ−ｇｒａｐｈｉｃ　Ｅｍｕｌｓｉｏｎ）、（Ｔｈｅ　Ｆｏｃａｌ　Ｐｒｅｓｓ刊、１９６４年）などの文献に記載されている中性法、酸性法、アンモニア法、順混合法、逆混合法、ダブルジェット法、コントロールド・ダブルジェット法、コンウァージョン法、コア／シェル法などの方法を適用して製造することができる。
　またダブルジェット法の別の形式として異なる組成の可溶性のハロゲン塩を各々独立に添加するトリプルジェット法（例えば可溶性銀塩と可溶性臭素塩と可溶性沃素塩）も用いることができる。
　粒子を銀イオン過剰の下において形成させる方法（いわゆる逆混合法）を用いることもできる。同時混合法の一つの形式としてハロゲン化銀の生成される液相中のｐＡｇを一定に保つ方法、すなわちいわゆるコントロールド・ダブルジェット法を用いることもできる。
　この方法によると、結晶形が規則的で粒子サイズが均一に近いハロゲン化銀乳剤が得られる。　　　　　　　　　ハロゲン化銀粒子の形成時には粒子の成長をコントロールするためにハロゲン化銀溶剤として例えばアンモニア、ロダンカリ、ロダンアンモン、チオエーテル化合物（例えば米国特許第３，２７１，１５７号、同第３，５７４，６２８号、同第３，７０４，１３０号、同第４，２９７，４３９号、同第４，２７６，３７４号、など）、チオン化合物（例えば特開昭５３−１４４，３１９号、同第５３−８２３，４０８号、同第５５−７７，７３７号など）、アミン化合物（例えば特開昭５４−１００，７１７号など）などを用いることができる。なかでもアンモニアが好ましい。
　別々に形成した２種以上のハロゲン化銀乳剤を混合して用いてもよい。
　またこれらのハロゲン化銀粒子またはハロゲン化銀乳剤中には、イリジウム、タリウム、パラジウム、ロジウム、亜鉛、ニッケル、コバルト、ウラン、トリウム、ストロンチウム、タングステン、プラチナの塩（可溶性塩）の内、少なくとも１種類が含有されるのが好ましい。その含有量は、好ましくは１モルＡｇあたり１０−６〜１０−１モルである。特に好ましくは、タリウム、パラジウム、イリジウムの塩の内の少なくとも１種類が含有されることである。これらは単独でも混合しても用いられ、その添加位置（時間）は任意である。これにより、閃光露光特性の改良、圧力減感の防止、潜像退行の防止、増感その他の効果が期待される。
　本発明の実施に際しては、上記の如く化学増感前の粒子成長中に、保護コロイドを含む母液のｐＡｇが少なくとも１０．５以上である態様を好ましく採用できる。特に好ましくは１１．５以上の非常にブロムイオンが過剰な雰囲気を一度でも通過させる。このようにして（１１１）面を増加させて粒子を丸めることにより、本発明の効果を一層高めることができる。このような粒子の（１１１）面は、その全表面積に対する割合が５％以上であることが好ましい。
　この場合、上記ｐＡｇとする時期は、全添加銀量の約２／３を添加終了した後であって、化学増感前に通常行われているいわゆる脱塩工程前であることが望ましい。これは、粒径分布の狭い単分散乳剤が得やすいからである。
　沈殿形成後あるいは物理熟成後の乳剤から可溶性塩類を除去するためにはゼラチンをゲル化させて行うヌーデル水洗法を用いてもよく、また無機塩類、アニオン界面活性剤、アニオン性ポリマー（例えばポリスチレンスルホンＩＩＩ）、あるいはゼラチン誘導体（例えばアシル化ゼラチン、カルバモイル化ゼラチンなど）を利用した沈降法（フロキュレーション法）を用いてもよい。可溶性塩類除去の過程は、省略してもよい。　　　　
　ハロゲン化銀乳剤は、化学増感しても、しなくてもよいが、化学増感することが好ましい。化学増感のためには（例えばＨ．Ｆｒｉｅｓｅｒ編、ディー・ダルシドラーゲン・デル・フォトグラフィッシェン・プロツェセ・ミット・ジルベルハロゲニーデン（Ｄｉｅ　Ｇｒｕｎｄｌａｇｅｎ　ｄｅｒ　Ｐｈｏｔｏ　ｇｒａｐｈｉｓｃｈｅｎ　Ｐｒｏｚｅｓｓｅ　ｍｉｔ　Ｓｉｌｂｅｒｈａｌｏｇｅｎｉｅｄｅｎ）、アカデミッシェ　フェアラークゲゼルシャフト（Ａｋａｄｅｍｉｓｃｈｅ　Ｖｅｒｌａｇｅｇｅｌｌｓｃｈａｆｔ）１９６８年、６７〜７３４頁に記載の方法を用いることができる。
　本発明の好ましい一実施態様は、本発明の感光性ハロゲン化銀乳剤層に、下記一般式〔Ｉ〕、〔ＩＩ〕及び〔ＩＩＩ〕で表される化合物群から選ばれた少なくとも１種の増感色素を添加したものである。
　一般式〔Ｉ〕、〔ＩＩ〕、〔ＩＩＩ〕の化合物のいずれかを用いる態様を採用すると、オルソ増感されるので、特に圧力減感及びすり傷黒化について一層の改良がなされる。即ち、レギュラータイプは高感度を要する脚部用に大粒子を用いているため、圧力減感及びすり傷黒化性能が悪かったのであるが、このようなオルソタイプでは色素増感により高感度化されるため、用いるハロゲン化銀粒子を小さくすることができる。この結果、圧力減感及びすり傷黒化性能を一層改良することができるわけである。
　一般式〔Ｉ〕、〔ＩＩ〕及び〔ＩＩＩ〕は下記に示すとおりである。
　
〔一般式中、Ｒ１、Ｒ２及びＲ３は各々置換もしくは非置換のアルキル基、アルケニル基またはアリール基を表し、少なくともＲ１とＲ３の内１つはスルホアルキル基またはカルボキシアルキル基である。
Ｘ１−はアニオン、Ｚ１及びＺ２は置換えまたは非置換の炭素環を完成するに必要な非金属原子群、ｎは１または２を表す（但し、分子内塩を形成するときはｎは１である。）〕
〔一般式中Ｒ４及びＲ５は各々置換もしくは非置換のアルキル基、アルケニル基またはアリール基を表し、少なくともＲ４とＲ５の内いずれかはスルホアルキル基またはカルボキシアルキル基である。Ｒ６は水素原子、低級アルキル基またはアリール基を表す。Ｘ２−はア二オン、Ｚ１及びＺ２は各々置換または非置換の炭素環を完成するに必要な非金属原子群、ｎは１または２を表す。（但し、分子内塩を形成するときはｎは１である。）〕
　　　　　　　　　　　　　　　　　　　　　　　　　　　　　　　　　　　　　　　　　　　　　　
〔一般式中Ｒ７及びＲ９は各々置換もしくは非置換の低洟アルキル基、Ｒ８及びＲ１０は各々低級アルキル基、ヒドロキシアルキル基、スルホアルキル基またはカルボキシアルキル基、Ｘ３−はアニオン、Ｚ１及びＺ２は各々置換または扉置換の炭素環を完成するに必要な非金属原子群、ｎは１または２を表す。（但し、分子内塩を形成するときはｎは１である。」〕
　各一般式中、Ｚ１，Ｚ２が完成する炭素環としては、置換または非置換のベンゼン環やナフタレン環などの芳香族が好ましい。
　各一般式で示される化合物の具体例は特開昭６１−８０２３７号公報に記載があり、本発明の実施に際して、該公報記載の化合物の任意のものを好ましく用いることができる。
　本発明において上記一般式〔１〕、〔ＩＩ〕、〔ＩＩＩ〕で示される化合物の添加総量はハロゲン化銀１モルに対し、１０ｍｇ〜９００ｍｇの範囲で用いることができる。特に、６０ｍｇ〜６００ｍｇが好ましい。
　また上記一般式〔Ｉ〕、〔ＩＩ〕、〔ＩＩＩ〕で示される化合物の添加位置は、感光材料製造中の任意の位置でよい。例えば化学熟成前、化学熟成中、化学熟成終了後、塗布以前であればどこでもよい。
　本発明に用いられる写真乳剤には、感光材料の製造工程、保存中あるいは写真処理中のカブリを防止し、あるいは写真性能を安定化させる目的で、種々の化合物を含有させることができる。
　本発明の感光材料には親水性コロイド層にフィルター染料として、あるいはイラジエーション防止、ハレーション防止その他種々の目的で水溶性染料を含有してよい。
　本発明の感光材料において、親水性コロイド層に染料や紫外線吸収剤などが包含される場合に、それらはカチオン性ポリマーなどによって媒染されてもよい。
　本発明の写真感光材料の写真乳剤層には感度上昇、コントラスト上昇、または現像促進の目的で、例えばポリアルキレンオキシドまたはそのエーテル、エステル、アミンなどの誘導体、チオエーテル化合物、チオモルフオリン類、四級アンモニウム塩化合物、ウレタン誘導体、尿素誘導体、イミダゾール誘導体、３−ピラゾリドン類等を含んでもよい。
　本発明の写真感光材料には、写真乳剤層その他の親水性コロイド層に無機または有機の硬膜剤を含有してよい。
　本発明の写真感光材料には、写真乳剤層その他の親水性コロイド層に寸度安定性の改良などの目的で、水不溶または難溶性合成ポリマーの分散物を含むことができる。
　本発明のハロゲン化銀写真感光材料には保護層が好ましく設けられるが、この保護層は親水性コロイドからなる層であり、使用される親水性コロイドとしては前述したものが用いられる。また保護層は、単層であっても重層となっていてもよい。
　本発明の感光材料のハロゲン化銀乳剤層及び／または他の親水性コロイド層には柔軟性を高める目的で可塑剤を添加できる。可塑剤として特に好ましい化合物は、トリメチロールプロパンである。トリメチロールプロパンの如きジオール類またはポリオール類を用いる場合、その使用量はゼラチンに対して好ましく０．０１〜１００重量％、特に好ましくは０．１〜１０重量％である。
　本発明の写真感光材料には、その他必要に応じて種々の添加剤を用いることができる。例えば、染料、現像促進剤、螢光増白剤、色カブリ防止剤、紫外線吸収剤、などである。
　発明のハロゲン化銀写真感光材料には、必要に応じて、アンチハレーション層、中間層、フィルター層、などを設けることができる。
　本発明の写真感光材料において写真乳剤層その他の層は、写真感光材料に通常用いられている可撓性支持体の片面または両面に塗布されて具体化されることができる。可撓性支持体として有用なものは、硝酸セルロース、酢酸セルロース、酢酸酪酸セルロース、ポリスチレン、ポリ塩化ビニル、ポリエチレンテレフタレート、ポリカーボネート等の半合成または合成分子から成るフィルム、バライタ層またはα−オレフィンポリマ−（例えばポリエチレン、ポリプロピレン、エチレン／ブテン共重合体）等を塗布またはラミネートした紙等である。支持体は染料や顔料を用いて着色されてもよい。遮光の目的で黒色にしてもよい。これらの支持体の表面は、一般に写真乳剤層等との接着をよくするために下塗処理される。
支持体表面は下塗処理の前または後に、コロナ放射、紫外線照射、火焔処理等を施してもよい。
　本発明の写真感光材料において、写真乳剤層その他の親水性コロイド層は種々の塗布法により支持体上または他の層上に塗布できる。塗布には、ディップ塗布法、ローラー塗布法、カーテン塗布法、押出し塗布法などを用いることができる。詳しくは、リサーチ・ディスクロージャー、第１７６巻Ｐ．２７−２８の「Ｃｏａｔｉｎｇ　ｐｒｏｃｅｄｕｒｅｓ」の項に記載されている方法を用いうる。
　本発明のハロゲン化銀写真感光材料は、具体的にはＸｒａｙ感光材料の他、リス感光材料、黒白撮影感光材料などに用いることができる。　　　　　　　　　　　　　　　　　　　
　写真像を得るための露光は、通常の方法を用いて行えばよい。
　本発明の感光材料の写真処理には、例えばリサーチ・ディスクロージャー（Ｒｅｓｅａｒｃｈ　Ｄｉｓｃｌｏｓｕｒｅ）１７６号第２５−３０頁（ＲＤ−１７，６４３）に記載されているような、種々の方法及び種々の処理液のいずれをも適用することができる。この写真処理は、目的に応じて、銀画像を形成する写真処理（黒白写真処理）、あるいは色素像を形成する写真処理（カラー写真処理）のいずれであってもよい。処理温度は普通１８℃から５０℃の間に選ばれるが、１８℃より低い温度または５０℃を越える温度としてもよい。
　また、場合によっては、他の種々の現像方法（例えば熱現像など）を用いることができる。
〔実施例〕
　以下、本発明の実施例を詳細に説明する。なお、当然のことではあるが本発明は以下述べる実施例に限定されるものではない。
　６０℃，ｐＡｇ＝８．０，ｐＨ＝２．０にコントロールしつつ、ダブルジェット法で平均粒径粒０．２０μｍの沃化銀２．０モル％を含む沃臭化銀単分散立方晶乳剤を得た。この乳剤の一部をコアとして用い以下のように成長させた。即ちこのコア粒子とゼラチンを含む溶液に、４０゜Ｃ，ｐＡｇ＝９．０，ｐＨ＝９．０で、アンモニア性硝酸銀溶液と沃化カリウムと臭化カリウムを含む溶液とをダブルジェット法で加え、沃化銀を３０モル％含む第１被覆層を形成した。
　そして更にｐＨ＝９．０，ｐＡｇ＝９．０で、アンモニア性硝酸銀溶液と臭化カリウム溶液とをダブルジェット法で添加して純臭化銀の第２被覆層を形成し、平均粒径０．５７μｍの立方晶単分散沃臭化銀乳剤を調製しＥｍ−１とした。得られた乳剤の平均沃化銀含有量は２．５モル％であった。
　得られた乳剤Ｅｍ−１に対し、下記に示す増感色素（Ｉ）を５２０ｍｇ／ＡｇＸモル添加し、更にチオシアン酸金、チオ硫酸ナトリウムを加え最適に金・硫黄増感を施し、４−ヒドロキシ−６−メチル−１，３，３ａ，７−テトラザインデンを加えて安定化し、ゼラチン量を第１表に示す様に調整し乳剤層塗布溶液とした。次に、第１表に示したマット度となる様平均粒径４μｍの単分散マット剤（ここではポリメチルメタクリレートＰＭＭＡを使用）を加え、更にゼラチン量を第１表に示した量に調整し、硬膜剤として下記に示す化合物を添加し、保護層塗布溶液とした。この２つの溶液をスライドホッパー法にて、下引き済みのポリエステルフィルム支持体の両面同時に、支持体から順に乳剤層（粘度１５ｃｐ、表面張力３４ｄｙｎ／ｃｍ、塗布膜圧４７μｍ）、保護層（粘度１０ｃｐ、表面張力２５ｄｙｎ／ｃｍ、塗布膜圧１８μｍ）を塗布速度５５ｍ／分で２層同時に重層塗布し、試料Ｎｏ．１〜Ｎｏ．３１を得た。塗布銀量は、すべて両面で４．５ｇ／ｍ２であった。
　得られた試料について、感度を以下の様に求めた。即ち、試料を濃度傾斜を鏡対称に整合した２枚の光学ウェッジに挟み、色温度５４００°Ｋの光源で両側から同時に且つ等量に１／１２．５秒間露光する。得られた露光済試料を次の工程に従い、全処理時間が４５秒であるローラー搬送型自動現像機を用いて処理を行った。
　　　　　　　　　　処理温度　　処理時間
挿　　　入　　　　　　−　　　　　１．２秒
現像＋渡り　　　　　３５℃　　　１４．６秒
定着＋渡り　　　　　３３℃　　　　８．２秒
水洗＋渡り　　　　　２５℃　　　　７．２秒
スクイズ　　　　　　４０℃　　　　５．７秒
乾　　　燥　　　　　４５℃　　　　８．１秒
　合　　計　　　　　　−　　　　４５．０秒　　　
　現像液はＸＤ−９０、定着液はＸＦ（いずれも小西六写真工業（株）製）を使用した。
　得られた特性曲線からベース濃度＋カブリ濃度＋１．０における露光量を求め、相対感度を求めた。
　また乾燥性を以下のように評価した。即ち上記の４５秒自動現像処理を行い、乾燥部分を通過して来た試料に対して手ざわり、他の試料とのクッツキの程度等を総合評価し、１（劣）〜５（優）の５段階表示で表わした。３〜５では問題ないが、１〜２では実用に耐えない。また、各試料について、上記４５秒自動現像機のランイスピードを１／２に落として、従来の９０秒処理としての感度も求めた。
　すり傷黒化を以下の様に評価した。即ち、２３゜Ｃ、５５％ＲＨの条件下で５時間調湿したフィルムを２枚重ね、その上に１ｋｇの荷重をのせる。そして、上のフィルムを荷重とともに静かに引いた後に（下のフィルムの上をすべらせる）下のフィルムを露光を与えずに現像を行って、傷のつき具合を目視評価し、１（劣）〜５（優の５段階で示した。３〜５では問題ないが、１〜２では実用に耐えない。
　また、クッツキについて以下の様に評価した。即ち、１５ｃｍ×１５ｃｍに裁断した試料を３枚１組とし、２３゜Ｃ、５５％ＲＨの条件下で６時間調湿した後、同一条件で挟紙及び厚紙で挟んだ後吸引封入し、５５゜Ｃの条件下に３日感放置した。次に、試料のクッツキの程度をクッツキの強さ、クッツキ面積等で総合評価し、１（劣）〜５（優）の５段階で示した。３〜５では問題ないが、１〜２では実用に耐えない。
　更に、マット圧力ブリを以下の如く評価した。即ち、露光を与えずに現像処理した試料について目視評価を行い、マット剤粒子の囲りの黒化の程度を、強さ、黒化の数を総合的に見て１（劣）〜５（優）の５段階で示した。３〜５では問題ないが、１〜２では実用に耐えない。
　以上の結果を第１表に示した。
　　　　　　　　　　　
　第１表から明らかな様に、本発明に係る試料は高感度（１００〜１６０）で、且つ乾燥性、すり傷黒化、クッツキ、マット圧力ブリ等が総合的に優れており（すべての評価が３〜５）、超迅速処理適性のあることがわかる。また、従来の９０秒処理との比較においては、従来のシステムに比べて同等もしくはそれ以上の感度でありながら処理時間が１／２に短縮されており、処理能力が２倍になっていることがわかる。
〔発明の効果〕
　上述のように本発明のハロゲン化銀写真感光材料は、全処理時間が２０秒〜６０秒である超迅速処理に耐えうるまでにゼラチン量を少なくしても感度、乾燥性に優れ、クッツキ、すり傷黒化、マット圧力ブリ等の故障が少ないという効果を有する。